(57)【特許請求の範囲】
【請求項１】
１本またはそれ以上のケーブルであって、２本以上のケーブルが存在する場合には相互に実質的に平行なケーブルと、１本のケーブルまたは２本以上のケーブルの組合せが前記空洞を横切って伸長するように前記ケーブルまたは各前記ケーブルをジャンプ空洞（本文中で定義する通り）の上に固定するための手段と、前記ケーブルの１本に支持されたジャンピング・プラットフォームであって、前記ケーブルの予め定められた位置に固定可能なジャンピング・プラットフォームと、前記ジャンピング・プラットフォームに固定可能な少なくとも１つのバンジーと、ジャンパーをジャンプ空洞の側縁の隣接部から前記ケーブルまたは各前記ケーブルに沿って選択された位置まで輸送するための輸送手段とを含むバンジー・ジャンプ装置。
【請求項２】
前記１本またはそれ以上のケーブルが、どちらも前記ジャンプ空洞を横切って伸長する一次ケーブルおよび二次ケーブルを含み、前記二次ケーブルが無限ループとして形成された駆動ケーブルを含む、請求項１に記載の装置。
【請求項３】
前記１本またはそれ以上のケーブルが、前記ジャンプ空洞を横切って伸長する一次ケーブルと、前記ジャンプ空洞の片側から前記一次ケーブルに沿って途中の選択された位置まで伸長する無限ループとして形成された駆動ケーブルからなる二次ケーブルを含む、請求項１に記載の装置。
【請求項４】
前記１本またはそれ以上のケーブルが、前記ジャンプ空洞を横切って伸長する単一の一次ケーブルを含む、請求項１に記載の装置。
【請求項５】
前記１本またはそれ以上のケーブルが、無限ループとして形成された駆動ケーブルを含む、請求項１に記載の装置。
【請求項６】
前記１本またはそれ以上のケーブルが、前記ジャンプ空洞の片側から前記ジャンプ空洞を横切る途中の位置まで伸長する無限ループとして形成された駆動ケーブルと、前記駆動ケーブルと前記ジャンプ空洞の他方の側との間に固定されるさらなるケーブルとを含む、請求項１に記載の装置。
【請求項７】
前記ジャンピング・プラットフォームが可動である、請求項１ないし６のいずれか一項に記載の装置。
【請求項８】
前記ジャンピング・プラットフォームが前記輸送手段をも提供する、請求項７に記載の装置。
【請求項９】
前記ジャンピング・プラットフォームが前記一次ケーブルに支持される、請求項２ないし４のいずれか一項に記載の装置。
【請求項１０】
前記ジャンピング・プラットフォームが前記一次ケーブルの適切な位置に解放可能に固定される、請求項９に記載の装置。
【請求項１１】
前記輸送手段が前記一次ケーブルに支持される、請求項９または１０に記載の装置。
【請求項１２】
前記輸送手段に、前記１本またはそれ以上のケーブルとは独立して電力を供給する、請求項１１に記載の装置。
【請求項１３】
前記ジャンピング・プラットフォームおよび前記輸送手段が前記一次ケーブルに支持され、前記輸送手段が前記駆動ケーブルによって電力を供給される、請求項２または３に記載の装置。
【請求項１４】
前記輸送手段がゴンドラを含む、請求項９ないし１３のいずれか一項に記載の装置。
【請求項１５】
前記輸送手段が前記一次ケーブルから支持された通路を含む、請求項９または１０に記載の装置。
【請求項１６】
前記輸送手段がボソンズ・チェアを含む、請求項９ないし１２のいずれか一項に記載の装置。
【請求項１７】
前記輸送手段がフライング・フォックスを含む、請求項９ないし１２のいずれか一項に記載の装置。
【請求項１８】
前記ジャンピング・プラットフォームが前記駆動ケーブルに支持され、かつ前記輸送手段をも形成する、請求項２、３、５、または６のいずれか一項に記載の装置。
【請求項１９】
前記装置が前記駆動ケーブルに支持された第２ジャンピング・プラットフォームをさらに含み、前記第１および第２ジャンピング・プラットフォームが前記駆動ケーブルの相互に離れた位置に支持される、請求項１８に記載の装置。
【請求項２０】
前記第２ジャンピング・プラットフォームがジャンパーにとってジャンプ空洞にジャンプするのに適切な位置に着いているときに、前記第１ジャンピング・プラットフォームが前記ジャンプ空洞の片側の隣接位置に着くことができるように、前記第１および第２ジャンピング・プラットフォームが前記駆動ケーブルに配置された、請求項１９に記載の装置。
【請求項２１】
前記駆動ケーブルが間隔をおいて配置されたブル・ホイールの周囲を走る無限ループのケーブルを含み、前記ブル・ホイールの少なくとも１つが駆動可能である、請求項２、３、５、６、１８、または１９のいずれか一項に記載の装置。
【請求項２２】
前記駆動ケーブルが間隔をおいて配置されたブル・ホイールの周囲を走る無限ループのケーブルを含み、前記ブル・ホイールの少なくとも１つが駆動可能であり、前記ブル・ホイールの１つがジャンプ空洞の片側に隣接する地面から支持され、前記ブル・ホイールの別の１つがジャンプ空洞の他方の側に隣接する地面から支持される、請求項２または５に記載の装置。
【請求項２３】
前記駆動ケーブルが間隔をおいて配置されたブル・ホイールの周囲を走る無限ループのケーブルを含み、前記ブル・ホイールの少なくとも１つが駆動可能であり、前記ブル・ホイールの１つがジャンプ空洞の片側に隣接する地面から支持され、前記ブル・ホイールの別の１つが一次ケーブルから支持される、請求項３に記載の装置。
【請求項２４】
前記ブル・ホイールの前記別の１つが、前記ジャンピング・プラットフォームの屋根に固定される、請求項２３に記載の装置。
【請求項２５】
前記駆動ケーブルが間隔をおいて配置されたブル・ホイールの周囲を走る無限ループのケーブルを含み、前記ブル・ホイールの少なくとも１つが駆動可能であり、前記ブル・ホイールの１つがジャンプ空洞の片側に隣接する地面から支持され、前記ブル・ホイールの別の１つが前記さらなるケーブルに固定される、請求項６に記載の装置。
【請求項２６】
前記ジャンピング・プラットフォームが可動であり、かつ前記輸送手段をも提供し、重力により前記ケーブルに沿ってジャンプ位置まで移動するように構成された非電力輸送機を含み、前記輸送機をジャンプ空洞の片側に隣接する出発点に戻すために回収ロープを備えている、請求項４に記載の装置。
【請求項２７】
前記非電力輸送機がゴンドラを含む、請求項２６に記載の装置。
【請求項２８】
前記非電力輸送機がボソンズ・チェアを含む、請求項２６に記載の装置。
【請求項２９】
前記非電力輸送機がフライング・フォックスを含む、請求項２６に記載の装置。
【請求項３０】
前記ブル・ホイールの前記別の１つが、前記ブル・ホイールに固定され、かつその下に懸架された振り子の形の釣合錘を備えている、請求項２３または２４に記載の装置。
【請求項３１】
前記ジャンピング・プラットフォームに電力ケーブルによって電力が供給される、請求項１０に記載の装置。
【請求項３２】
前記ジャンピング・プラットフォームにリーブド電力ケーブルによって電力が供給される、請求項７に記載の装置。
【請求項３３】
前記駆動ケーブルによって電力が供給される発電機によって前記ジャンピング・プラットフォームに電力が供給される、請求項２、３、５、または６のいずれか一項に記載の装置。
【発明の詳細な説明】
【０００１】
（技術分野）
本発明は、バンジー・ジャンプ用の装置に関する。
【０００２】
（背景技術）
バンジー・ジャンプのレクリエーション活動は周知である。ジャンパーをハーネスまたは足首つなぎ縄によってバンジーの一端に固定し、バンジーの他端をジャンピング・プラットフォームまたはその他の堅固な位置に固定する。当初のバンジーは植物のつるであったが、最近のバンジーは多数の子縄をより合わせた重い弾性縄または弾性帯紐である。
【０００３】
バンジー・ジャンプは通常橋から、または、河川峡谷または鉄道もしくは道路の切通しなど自然または人工の空洞（cavity）の片側から外向きに伸長する、目的に合わせて建設されたジャンピング・プラットフォームから行なわれる。ここで使用する場合、用語「ジャンプ空洞」は、バンジー・ジャンプに適した寸法（高さおよび幅の両方とも）の自然または人工の空洞を意味する。
【０００４】
必要不可欠な橋およびジャンピング・プラットフォームは恒久的な定着物であり、したがってバンジー・ジャンプが可能な場所を制限する。ヘリコプターからバンジー・ジャンプを実行することも知られている。これはどんな場所でも行なうことができるが、ヘリコプターを配置する高い費用が制限的要素であり、またヘリコプターからジャンプすることに伴う事故の危険性は、従来のバンジー・ジャンプの場合より高くなる。
【０００５】
（発明の開示）
したがって、本発明の目的は、橋または固定されたジャンピング・プラットフォームから飛び込む従来のバンジー・ジャンプと同一価格帯で同様の安全率のバンジー・ジャンプ機能を提供しながら、比較的容易に設置したり撤去することができ、したがってずっと幅広い範囲の様々な場所で使用できるバンジー・ジャンプ用装置を提供することである。
【０００６】
本発明は、非常に広範囲の様々なジャンプ空洞、例えば河川峡谷や山間の谷などの自然空洞、鉄道の切通しや隣接する高層ビル間の空間などの人工空洞、または部分的に自然で部分的に人工の空洞を、バンジー・ジャンプに利用することを可能にする。ジャンプ空洞は通常戸外であるが、例えば大きい建物の内部など、屋内でも可能であろう。また、２つの繋留した風船の間または下にジャンプ空洞を形成することもできるであろう。
【０００７】
本発明は、１本またはそれ以上のケーブルであって、２本以上のケーブルが存在する場合には相互に実質的に平行なケーブルと、１本のケーブルまたは２本以上のケーブルの組合せが前記空洞を横切って伸長するように前記ケーブルまたは各前記ケーブルをジャンプ空洞（上で定義した通り）の上に固定するための手段と、前記ケーブルの少なくとも１本に支持されるジャンピング・プラットフォームであって、前記ケーブルの予め定められた位置に固定可能なジャンピング・プラットフォームと、前記ジャンピング・プラットフォームに固定可能な少なくとも１つのバンジーと、ジャンパーをジャンプ空洞の側縁の隣接部から前記ケーブルまたは各前記ケーブルに沿って選択された位置まで輸送するための輸送手段とを含む、バンジー・ジャンプ装置を提供する。
【０００８】
ジャンプ空洞の側縁は、水平面内で相互に同じ高さとすることができるが、そうである必要はない。つまり、一方の側縁が他方の側縁より高くてもよい。
【０００９】
ジャンピング・プラットフォームはケーブルに固定することができ、あるいは可動とすることができる。ジャンピング・プラットフォームが可動である場合、それはジャンパーを前記選択された位置に輸送するための手段として使用することもできる。ジャンピング・プラットフォームをケーブルの適切な位置に固定した場合、ジャンパーをケーブルに沿ってジャンピング・プラットフォームに渡すために、別個の輸送手段が使用される。この別個の輸送手段はゴンドラであることが好ましいが、例えばケーブルから支持された通路、またはボソンズ・チェア（boson's chair）もしくはフライング・フォックス（flying fox）とすることもできる。２つ以上の輸送手段を使用することができ、ジャンパーをジャンプ空洞の両側からジャンピング・プラットフォームに輸送することができる。
【００１０】
輸送手段は一次ケーブル（つまりジャンピング・プラットと同じケーブル）に支持することができ、独立して電力を供給してそのケーブルに沿って移動させることができる。輸送手段は、無限ループの形の第２の駆動ケーブルによって移動させることが好ましい。駆動ケーブルは、ジャンプ空洞を完全に横切って伸長することができ、またはジャンプ空洞の片側から一次ケーブルに沿って途中の、ジャンピング・プラットフォームの位置またはそれをより先の位置まで伸長することができる。
【００１１】
ここで使用する場合、用語「一次ケーブル」および「駆動ケーブル」は、単数形で使用しているが、複数の平行な一次ケーブルおよび複数の平行な駆動ケーブルもそれぞれ含んでいる。
【００１２】
駆動ケーブルは、ジャンプ空洞の片側に隣接して取り付けた駆動ブル・ホイールによって周知の方法で駆動することが好ましい。駆動ケーブル路の他端で、駆動ケーブルは第２の非駆動ブル・ホイールの周囲を通る。駆動ケーブルがジャンプ空洞を完全に横切って伸長する場合、第２ブル・ホイールは、ジャンプ空洞の駆動ブル・ホイールとは反対側に取り付ける。駆動ケーブルが一次ケーブルに沿って途中までしか伸長しない場合には、第２ブル・ホイールは一次ケーブルから支持し、安定性のために振り子式釣合錘で平衡させることができる。代替的に、一次ケーブルを全く省き、第２ブル・ホイールを、ジャンプ空洞の前記反対側から第２ブル・ホイールまで伸長するさらなるケーブルによって支持することができる。
【００１３】
別の実施形態では、輸送手段を駆動ケーブルに支持させ、一次ケーブルに取り付けた固定ジャンピング・プラットフォームと組み合わせて使用することができ、あるいは輸送手段をジャンピング・プラットフォームとしても使用することができる。輸送手段の釣合錘は、輸送手段とは反対に、駆動ケーブルに取り付けることもできる。最も好ましいのは、２つの輸送手段を使用し、駆動ケーブルに取り付け、両方が交替でジャンピング・プラットフォームとして使用できるように、駆動ケーブル上で間隔をおいて配置することである。つまり、第１輸送手段がジャンプ空洞の側縁に隣接して移動し、ジャンパーを乗せ、次いでジャンパーをジャンプさせるためにジャンプ空洞上を移動する間に、第２輸送手段がジャンプ空洞の側縁に隣接して移動して、ジャンパーを乗せる。駆動ケーブルがジャンプ空洞を完全に横切って伸長し、２つの輸送手段を使用する場合には、１つの輸送手段にジャンプ空洞の一方の側縁から乗り込み、もう１つの輸送手段にジャンプ空洞の他方の側縁から乗り込むことができる。
【００１４】
単なる例として、本発明の好適な実施形態を、添付の図面に関連して詳細に説明する。
【００１５】
図面の図１−３を参照すると、ジャンプ空洞２が丘陵３および４の間の自然に発生した峡谷として示されている。一次ケーブル５は、峡谷にまたがって、周知の手段により丘３および４の間に繋留される。ジャンピング・プラットフォーム６（図２）は、周知の種類の支持輪７を用いて一次ケーブル５に取り付けられる。ジャンピング・プラットフォーム６は通常（周知の手段を用いて）適切な位置に締着されるが、保守もしくは修理のため、または強風の危険性のために必要な場合には、一次ケーブル５に沿って移動させることができる。
【００１６】
ジャンピング・プラットフォーム６は、屋根８、側壁９、および床１０を備えている。壁９の下部は部分的に切り取られて、４つの間隔をおいて配置された出口１１を提供し、そこからジャンパーがジャンプすることができる。回収用ウィンチ（recovery winch）を取り付けるためのリフト・ビーム１２は、主支柱１３に堅固に固定される。支柱１３は一端が床１０に、他端が取付ホイール７用の支持ブラケット７ａに固定される。支柱１３はまた、支持ブラケット７ａのすぐ下に取り付けられた１対の案内車輪１４をも支持する。案内車輪１４はそれらの間に、ジャンプ空洞の一方の側縁に取り付けられた駆動ブル・ホイール１６と案内ブル・ホイール１７との間をループとして走る無限駆動ケーブル１５を受容する。ブル・ホイール１７は、駆動ブル・ホイール１６から見てジャンピング・プラットフォーム６の向こう側で、一次ケーブル５から支持される。ブル・ホイール１７は、周知の方法で一次ケーブル５に締着されたブラケット１７ａから支持される。図２ａは、案内ブル・ホイール１７が、ジャンピング・プラットフォーム６の屋根８の上で、屋根８に固定された軸１７ａに取り付けられた代替的構成を示す。
【００１７】
図３は、アクセス・ゴンドラ１８の形の輸送手段を示す。ゴンドラ１８はホイール１９によって一次ケーブル５から支持され、ゴンドラの支柱２０に固定された駆動ケーブル１５によって、一次ケーブルに沿って移動する。
【００１８】
上述の装置は、次のように使用される。ジャンピング・プラットフォーム６は、一次ケーブル５の適切な位置に固定される。ゴンドラ１８は駆動ケーブル１５によって丘陵４まで移動し、その位置でジャンパーがゴンドラに乗り込み、ジャンピング・プラットフォーム６へ運ばれる。ゴンドラは一時的に（例えば、ゴンドラとジャンピング・プラットフォームとの間に固締された歩み板（gang plank）によって）ジャンピング・プラットフォーム６に固定され、ジャンパーはゴンドラからジャンピング・プラットフォームに乗り移る。各ジャンパーは交替で彼または彼女のバンジー・ジャンプを実行し、周知の方法でジャンピング・プラットフォームに引き戻されるか、地面に降下する。全てのジャンパーがジャンプを終了すると、彼らは適宜、ゴンドラで丘陵４に戻るか、地上の着地領域から集められる。次いで、さらに多くのジャンパーがゴンドラに乗り、この連続操作を繰り返すことができる。
【００１９】
図４および５を参照すると、図１−３の構成要素と同様の構成要素には、同じ参照番号が与えられている。一次ケーブル５、駆動ケーブル１５、およびブル・ホイール１６、１７は、図１−３に関連して説明したように取り付けられる。ただし、単一の固定ジャンピング・プラットフォームおよび輸送ゴンドラの代わりに、輸送手段としても機能する２つの可動ジャンピング・プラットフォームを使用する。
【００２０】
各々の可動ジャンピング・プラットフォーム２３、２４は、駆動ケーブル１５に締着され、そのケーブルと共に移動する。ジャンピング・プラットフォーム２３、２４はケーブル１５に間隔をおいて配置して、一方のジャンピング・プラットがブル・ホイール１７付近の選択されたジャンプ位置にあるときに、他方のジャンピング・プラットフォームが丘陵４に近接しておりジャンパーがジャンピング・プラットフォームに乗り込むことができるようにする。こうして、２つのジャンピング・プラットフォームは交替で使用され、一方のプラットフォームにジャンパーが乗り込んでいる間に、他方のプラットフォームからジャンパーがジャンプする。
【００２１】
ジャンピング・プラットフォーム２３、２４の乗降およびジャンパのジャンプよって発生する駆動ケーブル１５の荷重の変動は、ブル・ホイール１７を水平面から傾斜させることがある。この運動を防止または抑制するために、ブル・ホイール１７は、長いステー２６の下端に取り付けた振り子式釣合錘を備え、ステーの他端はブル・ホイール１７の中心に取り付けられる。この種の振り子式釣合錘を、図１−３に示したブル・ホイールにも使用することができる。
【００２２】
ブル・ホイール１７は、望ましい場合には丘陵３に配置できることは理解されるであろう。つまり、ケーブル５の部分５ｂは省かれる。
【００２３】
図４および５に示したケーブルの構成は、一次ケーブル５を省き、ケーブル５の部分５ｂを丘陵３とブル・ホイール１７との間に伸長するさらなるケーブル５ｃ（破線で示す）に置き換えることによって、ブル・ホイール１７の一方の側がさらなるケーブル５ｃによって支持され、他方の側がケーブル１５によって支持されるように、図５ａに示す通り変形することができる。
【００２４】
図５ａに示す構成は、ブル・ホイール１７を丘陵３に配置し、ケーブル５ｃを全部省くことによって、さらに変形させることができる。次いで、可動ジャンピング・プラットフォーム２３、２４は、図４および図５に関連して上述した通り使用することができ、あるいは一方の可動ジャンピング・プラットフォームは一方の丘陵３から乗り込み、他方の可動ジャンピング・プラットフォームは他方の丘陵４から乗り込むことができることは、理解されるであろう。ブル・ホイール１７が地面に配置される場合には、振り子式釣合錘は不要である。
【００２５】
上述の実施形態のいずれも、対応する丘陵の前記または各々の前記乗込み領域に駐機装備を設けることができ、それにより積載用ゴンドラ１８または可動ジャンピング・プラットフォーム２３、２４は、駐機場に接近すると駆動ケーブルから切り離され（支持ケーブルから離れる場合）、蝶着ガイドレールによって支持ケーブルから持ち上げて外され、独立支持手段によって駐機場に支持される。積載後のゴンドラまたは可動ジャンピング・プラットフォームは次いで持ち上げて支持ケーブル上に戻され、上述の通りジャンプ・ゾーンに運ばれる。
【００２６】
図６は、最小限の装置を使用した、最も単純可能なシステムを示す。この実施形態では、ジャンプ空洞３３の両側の丘陵３１および３２の間に支持された単一のケーブル３０だけを使用する。丘陵のいずれか一方（３１）が、図示する通り他方より高く、あるいはケーブル３０は中心が垂れ下がるように緩く張る。ボソンズ・チェアまたはゴンドラまたはフライング・フォックスなどの非電力輸送の形の可動ジャンピング・プラットフォーム３４は、高い方の丘陵３１からケーブルの選ばれた位置まで、重力によりケーブル３０を下って移動し、次いで周知の方法でケーブルに締着され、その間にジャンピング・プラットフォームにいる人または人々がそのジャンプを完了し、ジャンプ空洞の底部の隣接位置でバンジーから解放されるか、またはジャンピング・プラットフォームに引き戻されるかのいずれかである。次いでジャンピング・プラットフォームは、回収用ロープ３５によって丘陵３１に引き戻される。代替的に、ジャンピング・プラットフォーム３４は、ジャンプ空洞上の適切な位置に半永久的に固定することができ、ジャンパーは通路３６によってジャンピング・プラットフォームへ移動することができる。別の可能性として、例えば図６に参照番号３４ａによって示す小形モータおよび駆動ホイールを介して、ジャンピング・プラットフォーム３４に独立に電力を供給することができる。
【００２７】
図７は、ジャンピング・プラットフォーム６が、周知の方法でジャンプ空洞２を横切って繋留された４本の平行な一次ケーブル４０に取り付けられる、さらなる実施形態を示す。ジャンピング・プラットフォーム６は、ジャンプ空洞２上の所望のジャンプ位置に半永久的に取り付けられるが、保守または安全性のために必要な場合には、一次ケーブル４０に沿って移動することができる。
【００２８】
間隔をおいて配置された１対の電動ブル・ホイール４１、４２は、ジャンプ空洞２の片側に取り付けられ、間隔をおいて配置されたさらなる１対の案内ブル・ホイール４３、４４は、ジャンピング・プラットフォーム６の屋根に取り付けられる。無限駆動ケーブル４５は両方の対のブル・ホイールの周囲を通り、ブル・ホイール４１、４２を必要な方向に駆動することによって、矢印ＡおよびＢによって示す通り、いずれの方向にも駆動することができる。
【００２９】
アクセス・ゴンドラ４６の形の輸送手段は、駆動ケーブル４５の固定位置に固定され、積載ゴンドラ４６とほぼ同じ重量を持つ釣合錘４７もまた駆動ケーブル４５の、ゴンドラ４６と対角線方向に反対側の固定位置に固定される。ジャンパーは、ゴンドラ４６が大まかに図７に示すように配置された状態でゴンドラ４６に乗込み、駆動ケーブル４５はブル・ホイール４１および４２によって矢印Ｂの方向に駆動されて、ゴンドラ４６がジャンプ空洞２を横切ってジャンピング・プラットフォーム６へ移動する。次いでジャンパーはゴンドラ４６からジャンピング・プラットフォーム６に降り、通常の方法で彼らのジャンプを終わらせる。ジャンプが終了すると、ジャンパーはジャンピング・プラットフォーム６に戻され、ゴンドラ４６に乗り込み、駆動ケーブル４５を矢印Ａで示す方向に駆動することによって、ブル・ホイール４１および４２に隣接する着陸領域に運び戻される。釣合錘４７は駆動ケーブル４５と共に移動し、駆動ケーブル４５が往復するときにゴンドラ４６の重量との釣り合いを保つ。
【００３０】
一般的に、上述の実施形態のほとんどで、ジャンピング・プラットフォームに電力を供給する必要がある。静止ジャンピング・プラットフォームへの電力供給は、永久固定電力ケーブル５０（図１のみ）によることができる。可動ジャンピング・プラットフォームへの電力供給は、プラットフォームと隣接する丘陵との間のリーブド・ケーブル（reeved cable）５２（図４のみ）によることができる。システムが絶えず移動する駆動ケーブルを含む場合には、図２に概略的に示すように、このケーブルを使用して、機械的にまたは発電機５１によってのいずれかで電力を生成することができる。
【図面の簡単な説明】
【図１】  ジャンプ空洞と本発明の第１実施形態の装置の略断面図である。
【図２】  図２は図１の装置の一部分をより大きい縮尺で示す側面図であり、図２ａは、図２の変形例の側面図である。
【図３】  輸送手段の側面図である。
【図４】  本発明の第２実施形態の略平面図である。
【図５】  図５は、図４の装置の一部分をより大きい縮尺で示す側面図であり、図５ａは、図４および図５の変形例の略平面図である。
【図６】  ジャンプ空洞と本発明の第３実施形態の装置の略断面図である。
【図７】  本発明の第４実施形態の略平面図である。
【図１】
0004269077.tif 000002
【図２】
0004269077.tif 000003
0004269077.tif 000004
【図３】
0004269077.tif 000005
【図４】
0004269077.tif 000006
【図５】
0004269077.tif 000007
【図５ａ】
0004269077.tif 000008
【図６】
0004269077.tif 000009
【図７】
0004269077.tif 000010